(57)【要約】【課題】  薬剤を所定量定期的に撒かなくても使用当初から継続的に有効な病害虫駆除忌避効果が得られるようにする。【解決手段】  粘土を焼成した植木鉢１であって、少なくともその本体２の下部２ｃを構成する粘土に病害虫駆除忌避作用を有する薬剤として炭化銅、酸化銅、クロム酸鉛等が混入され、また植木鉢の焼成後においては、その少なくとも下部に酸またはアルカリ処理が施され、植木鉢１の使用当初からナメクジやカタツムリ等の病害虫が上がってくることを確実に防止する。また、目皿４についても病害虫駆除忌避作用を有する薬剤を混入した粘土を焼成し、且つ酸またはアルカリ処理を行うことにより、植木鉢が通常のものでも病害虫駆除忌避が行える。【選択図】  図２
2009106249.tif 000002
【特許請求の範囲】
【請求項１】
粘土を焼成した植木鉢において、少なくとも下部を構成する粘土に病害虫駆除忌避作用を有する薬剤が混入されており、且つ前記粘土の焼成後に酸処理が施されていることを特徴とする、植木鉢。
【請求項２】
粘土を焼成した植木鉢において、少なくとも下部を構成する粘土に病害虫駆除忌避作用を有する薬剤が混入されており、且つ前記粘土の焼成後にアルカリ処理が施されていることを特徴とする、植木鉢。
【請求項３】
粘土の焼成が素焼きである、請求項１または請求項２記載の植木鉢。
【請求項４】
側面下部に通気孔が形成された、請求項１〜請求項３のうちのいずれか一項記載の植木鉢。
【請求項５】
植木鉢の内底部に置く目皿であって、病害虫駆除忌避作用を有する薬剤が混入された粘土を焼成したものであり、且つその焼成後に酸処理が施されていることを特徴とする、植木鉢用目皿。
【請求項６】
植木鉢の内底部に置く目皿であって、病害虫駆除忌避作用を有する薬剤が混入された粘土を焼成したものであり、且つその焼成後にアルカリ処理が施されていることを特徴とする、植木鉢用目皿。
【請求項７】
粘土の焼成が素焼きである、請求項５または請求項６記載の植木鉢用目皿。
【発明の詳細な説明】
【技術分野】
【０００１】
本発明は、ナメクジ、カタツムリ、ワラジムシ、ゲジゲジ等の病害虫を寄せ付けない植木鉢およびその目皿に関する。
【背景技術】
【０００２】
庭で盆栽や野菜或いは観葉植物等を栽培していると、これらにナメクジやカタツムリ等の病害虫が付き易く、特に梅雨どき等の雨が多い時期には栽培している植物やその鉢に大量のナメクジ等が付いて非常に不快な思いをすることも多い。
【０００３】
従来、ナメクジやカタツムリ等の病害虫を駆除するために、粒状、粉状或いは液状等の駆除剤を植木鉢やその受け皿に撒いていたが、駆除剤は、一度撒いてもその効果が長続きしないため、一定期間ごとに適正な散布を行わないと十分な効果が得られないという問題があった。また駆除剤は、撒く時期や時間帯を工夫する必要があり、通常、雨上がりや夕刻に散布するのが好ましいとされているが、種々の予定がある日常生活において常にこのような適正時期、適正時間帯に駆除剤を所定量撒くことは非常に手間であり、また一度、駆除剤を撒いてもその後の降雨や散水により駆除剤が流れてしまうこともあり、そのため駆除剤による効果が長期間持続されないのが実情であった。更に、駆除剤が栽培している植物に多量に付着した場合には、該植物の生育に悪影響が出たり、枯れてしまう場合もあった。
【０００４】
また、近年のペットブームによって、庭で犬等を飼う人も増えているが、前述したように、植木鉢やその受け皿に粒状等の病虫害駆除剤を撒いておいた場合、犬等が誤って食べてしまうおそれもあった。
【０００５】
前記のような問題に対処するために、出願人は、少なくとも下部を構成する粘土に病害虫駆除忌避作用を有する薬剤が混入された植木鉢およびその受け皿を提案している。
【特許文献１】実用新案登録第３１３０７４９号公報
【発明の開示】
【発明が解決しようとする課題】
【０００６】
前記出願人の提案した植木鉢等は、植木鉢等自体に病害虫の駆除や忌避の作用があり、そのため従来のように、所定量の薬剤をいちいち撒く必要がなくなり、園芸愛好家の手間を大幅に削減することができる等という効果がある。しかしながら、前記植木鉢等は、使用を開始してから病害虫の駆除忌避作用があらわれるまでに少なくとも１０日程度の時間を要するという不都合があった。
【０００７】
本発明の目的は、前述した種々の問題を解決することができる植木鉢およびその目皿を提供することにある。
【課題を解決するための手段】
【０００８】
請求項１記載の本発明は、粘土を焼成した植木鉢において、少なくとも下部を構成する粘土に病害虫駆除忌避作用を有する薬剤が混入されており、且つ前記粘土の焼成後に酸処理が施されていることを特徴とするものである。
【０００９】
前記酸処理に使用する薬品は特に限定されないが、例えば硫酸、硫酸銅、酢酸銅等が挙げられる。
【００１０】
病害虫駆除忌避作用を有する薬剤とは、ナメクジ、カタツムリ、ワラジムシ、ゲジゲジ、ヤスデ、ケムシ等の種々の害虫に対して駆除や忌避等の少なくともいずれかの作用を有するものであれば良く、特に限定されないが、以下のような薬剤が例示される。
【００１１】
すなわち、従来から銅には殺菌効果や虫の忌避効果があるとされているが、例えば炭化銅、酸化銅が挙げられ、更に他の金属化合物として、酸化ウラン、クロム酸鉄、クロム酸鉛、酸化亜鉛、鉛丹、黄色酸化鉛、灰硼石等も挙げられる。なお、以上述べた各薬剤は陶芸において釉薬として使用されているものであり、釉薬は、本来、粘土で形成した原形物の表面に塗布するものであるが、本発明では、粘土に混入させるのである。
【００１２】
また、前記釉薬以外の薬剤としては、メタアルデヒド、天然系置換フェノール、ＢＰＭＣ、ＭＥＰ、フタルスリン等が例示される。
【００１３】
請求項２記載の本発明は、粘土を焼成した植木鉢において、少なくとも下部を構成する粘土に病害虫駆除忌避作用を有する薬剤が混入されており、且つ前記粘土の焼成後にアルカリ処理が施されていることを特徴とするものである。
【００１４】
前記アルカリ処理に使用する薬品は特に限定されないが、例えば、硫黄合剤が挙げられる。
【００１５】
請求項３記載の本発明は、前記請求項１または請求項２記載の植木鉢について、粘土の焼成が素焼きであることを特徴とするものである。
【００１６】
請求項４記載の本発明は、前記請求項１〜請求項３のうちのいずれか一項記載の植木鉢ついて、側面下部に通気孔が形成されたことを特徴とするものである。
【００１７】
請求項４記載の本発明は、植木鉢の内底部に置く目皿であって、病害虫駆除忌避作用を有する薬剤が混入された粘土を焼成したものであり、且つその焼成後に酸処理が施されていることを特徴とする。
【００１８】
請求項５記載の本発明は、植木鉢の内底部に置く目皿であって、病害虫駆除忌避作用を有する薬剤が混入された粘土を焼成したものであり、且つその焼成後にアルカリ処理が施されていることを特徴とする。
【００１９】
請求項６記載の本発明は、前記請求項４または請求項５記載の植木鉢用目皿について、粘土の焼成が素焼きであることを特徴とするものである。
【発明の効果】
【００２０】
本発明に係る植木鉢は、少なくとも下部を構成する粘土に病害虫駆除忌避作用を有する薬剤が混入されているものであるため、植木鉢自体に病害虫の駆除や忌避の作用があり、そのため従来の病虫害駆除剤のように、所定量の薬剤をいちいち撒く必要がなくなり、園芸愛好家の手間を大幅に削減することができる。また、雨が降ったり、散水を行った場合でも従来の病虫害駆除剤のように薬剤が流れてしまうこともなく、病害虫の駆除・忌避作用が長時間有効に持続され得る。更に、前述したように薬剤は植木鉢自体に混入され、該植木鉢で栽培される植物に直接触れることがないため、薬剤が植物の生育に悪影響を及ぼすおそれもない。また、犬等のペットが誤って薬剤を食べてしまうといった事故のおそれもない。
【００２１】
そして、本発明の発明者は、前記植木鉢の焼成後において、該植木鉢に酸またはアルカリ処理を施すことにより、前述した種々の効果が当該植木鉢の使用当初から得られることを見出し、本発明を完成させたものである。したがって、本発明の植木鉢によれば、その使用を開始した直後から病害虫駆除忌避作用が発揮される。
【００２２】
また本発明に係る目皿についても、前述した植木鉢と同様の効果が得られる。そして、植木鉢が本発明に係る植木鉢でなく、一般に市販の植木鉢であっても、本発明の目皿だけでもその使用当初から病虫害駆除忌避作用が得られる。
【発明を実施するための最良の形態】
【００２３】
次に、本発明の実施形態を図面にしたがって説明するが、本発明はかかる実施形態に限定されるものではない。
【００２４】
図１および図２に示すように、植木鉢(1)は、植物を生育させるための用土を入れる本体部(2)と、本体部(2)の外底面(2a)に一体に形成された脚部(3)とにより構成されており、また本体部(2)の内底面(2b)には断面略半円形の目皿(4)が置かれている。更に、本体部(2)の側面下部には、通気孔(5)が形成されている。この通気孔(5)により本体部(2)の下部(2c)における空気の流通が促進され得る。
【００２５】
そして、本実施形態では、植木鉢(1)の本体部(2)における下部(2c)と脚部(3)と目皿(4)が、それぞれ病虫害駆除忌避作用を有する薬剤として酸化銅を０．５〜５重量％混入した粘土で構成されている。一方、本体部(2)の下部(2c)を除く他の部分(2d)は前記酸化銅を含まない通常の粘土で構成されている。なお、前記いずれの粘土においても必要に応じて顔料等の一般に使われる他の材料が適宜混合される。
【００２６】
次に、本実施形態の植木鉢(1)の焼成について説明すると、前記各粘土で植木鉢(1)を形どったものを窯に入れて、窯内の温度を５〜９時間かけて約５５０℃まで上昇させ、更に１時間ごとに５０℃ずつ上昇させて最終的に窯内を約７００〜９００℃にして素焼きを行う。
【００２７】
次に、素焼きしてできた植木鉢(1)を所定濃度の硫酸銅溶液に所定時間浸漬することによって酸処理を行うか、或いは前記植木鉢(1)を所定濃度の硫黄合剤溶液に所定時間浸漬することによりアルカリ処理を行う。
【００２８】
具体的には、硫酸銅溶液で酸処理を行う場合または硫黄合剤でアルカリ処理を行う場合、植木鉢(1)の焼成温度が７００℃の場合には前記薬品の濃度を３〜２０％として植木鉢(1)を１０〜２０分浸漬する。また、植木鉢(1)の焼成温度が８００℃の場合には前記薬品の濃度を５〜２０％として植木鉢(1)を１０〜６０分浸漬する。この他、植木鉢(1)の焼成温度が９００℃の場合には前記薬品の濃度を１０〜３０％として植木鉢(1)を１０〜６０分浸漬する。
【００２９】
また、目皿(4)についても、前記植木鉢(1)と同様の焼成並びに酸またはアルカリ処理を行う。
【産業上の利用可能性】
【００３０】
本発明に係る植木鉢および目皿によれば、簡単且つ確実に病害虫を駆除・忌避することができることは勿論、その効果が使用当初から得られるため、園芸分野において幅広い利用が期待できる。
【図面の簡単な説明】
【００３１】
【図１】実施形態に係る植木鉢の正面図である。
【図２】同植木鉢の断面図である。
【符号の説明】
【００３２】
(1)  植木鉢
(2)  本体部
(2c) 植木鉢の下部
(3)  脚部
(4)  目皿
【図１】
2009106249.tif 000003
【図２】
2009106249.tif 000004